(57)【要約】【課題】    簡単な構造にできてコスト増加を招くことなく、かつ外観を良好にすることができる建具を提供すること。【解決手段】扉体２の開口端縁と障子３の縦框３３とを支持アーム４３で直接連結し、この支持アーム４３の回動軌跡に沿って障子３が突没移動されるように構成したので、複雑なリンク機構等を用いることなく障子３を支持することができ、障子支持部４の構造を簡単化して部品点数を削減し、製造コストを抑制することができる。さらに、障子支持部４が左右の開口端縁の上部および下部に設けられているので、障子３を開放した状態で障子支持部４が目立たないようにでき、ドア１の外観意匠性を良好にすることができる。【選択図】  図５
2006328822.tif 000002
【特許請求の範囲】
【請求項１】
開口部を有した枠体と、この枠体に支持された面材とを備え、この面材が前記枠体の開口部を塞ぐ閉鎖位置と、前記枠体の見込み方向一方側に突出した開放位置との間を開閉移動可能に設けられた突出し形式の建具であって、
前記枠体の前記開口部を形成する開口端縁には、当該開口部を挟んで互いに対向する少なくとも一対の支持アームが設けられ、これら一対の支持アームは、それぞれ一端側が前記開口端縁に回動自在に連結され、かつ他端側が前記面材に回動自在に連結され、
前記一対の支持アームは、前記開口端縁の長手方向に沿って互いに離隔した位置に複数組が設けられるとともに、これら複数組のうちの少なくとも一組における一対の支持アーム同士が互いの回動を同期させる同期手段で接続されている建具。
【請求項２】
前記面材が閉鎖位置にある場合の前記支持アームの他端側連結部と、前記面材が開放位置にある場合の当該支持アームの他端側連結部とは、前記開口端縁の長手方向に沿った軸線であり、かつ当該支持アームの一端側連結部を通る軸線に対し、見込み方向の略対称位置に位置する請求項１に記載の建具。
【請求項３】
前記枠体の開口部は、上下および左右の開口端縁から略矩形状に形成されており、
前記一対の支持アームは、前記左右の開口端縁における上部および下部に二組が設けられ、これら二組のうちの下部に設けられた一対の支持アーム同士を連結する連結部材で前記同期手段が構成されている請求項１または請求項２に記載の建具。
【請求項４】
前記左右の開口端縁における高さ方向略中間位置には、前記枠体の見込み方向に沿ってスライド自在に支持されたスライド部材と、このスライド部材をスライド移動させる操作部材とが設けられ、
前記スライド部材に前記面材が見込み方向に移動不能かつ上下方向に移動可能に係止されている請求項３に記載の建具。
【請求項５】
前記スライド部材の前記面材側端部には、上下に延びる鉛直片部が設けられ、この鉛直片部の上端部および下端部の二箇所に前記面材が見込み方向に移動不能かつ上下方向に移動可能に係止されている請求項４に記載の建具。
【請求項６】
建物の出入口に開閉可能に設けられた扉体から前記枠体が構成されるとともに、この扉体に対して室外側に突出して前記面材が開閉可能に設けられたドアである請求項１から請求項５のいずれかに記載の建具。
【発明の詳細な説明】
【技術分野】
【０００１】
本発明は、建具に関し、詳しくは、枠体の開口を塞ぐ閉鎖位置と枠体の見込み方向一方側に突出した開放位置との間を開閉移動可能な面材を有した建具に関する。
【背景技術】
【０００２】
面材が窓枠等の枠体から突出して開放される突出し窓（押出し窓）等の建具が知られている（例えば、特許文献１、２参照）。
特許文献１および特許文献２に記載された突出し窓は、それぞれ面材（特許文献１ではガラス障子、特許文献２では窓本体）が枠体に対して略平行に突没することで開閉するように構成されている。
すなわち、特許文献１の突出し窓において、枠体には、左右一対のガイド部材と、これらのガイド部材に案内されて見込み方向に進退可能な一対のスライド部材とが設けられ、このスライド部材に取り付けられた面材がスライド部材の進退移動に伴って突没可能に支持されている。そして、特許文献１の突出し窓では、ガイド部材に軸支された回転レバーとスライド部材とがアーム部材（押し出しアーム）で連結されており、回転レバーを回動操作することでアーム部材を介してスライド部材が進退移動され、これにより面材が開閉操作可能に構成されている。
【０００３】
一方、特許文献２の突出し窓において、面材は、その上下左右の各辺がパンタグラフ機構（支持機構）等の平行リンク機構を介して枠体に支持されており、これらの平行リンク機構の見込み方向への伸縮に伴って面材が突没可能に支持されている。そして、特許文献２の突出し窓では、枠体に軸支されるとともに見込み方向に進退自在に支持されたアーム部材（揺動アーム）に面材が連結されており、このアーム部材を回動操作してから見込み方向に突没操作することで、面材が開閉操作可能に構成されている。
【０００４】
【特許文献１】実登第２５３２９３９号公報
【特許文献２】特開平１０−２１４９号公報
【発明の開示】
【発明が解決しようとする課題】
【０００５】
しかしながら、前記特許文献１、２に記載された従来の突出し窓では、枠体に対して略平行に突没可能に面材を支持する支持構造（ガイド部材およびスライド部材で構成された特許文献１の機構や、特許文献２の平行リンク機構）が複雑になって部品点数が増加し、製造コストの増大を招いてしまうという問題がある。
さらに、従来の突出し窓では、面材の開放時において複雑な支持構造が枠体の開口部に露出するために、窓の外観意匠性が損なわれてしまうという問題もある。
【０００６】
本発明の目的は、簡単な構造にできてコスト増加を招くことなく、かつ外観を良好にすることができる建具を提供することにある。
【課題を解決するための手段】
【０００７】
本発明の建具は、開口部を有した枠体と、この枠体に支持された面材とを備え、この面材が前記枠体の開口部を塞ぐ閉鎖位置と、前記枠体の見込み方向一方側に突出した開放位置との間を開閉移動可能に設けられた突出し形式の建具であって、前記枠体の前記開口部を形成する開口端縁には、当該開口部を挟んで互いに対向する少なくとも一対の支持アームが設けられ、これら一対の支持アームは、それぞれ一端側が前記開口端縁に回動自在に連結され、かつ他端側が前記面材に回動自在に連結され、前記一対の支持アームは、前記開口端縁の長手方向に沿って互いに離隔した位置に複数組が設けられるとともに、これら複数組のうちの少なくとも一組における一対の支持アーム同士が互いの回動を同期させる同期手段で接続されていることを特徴とする。
【０００８】
ここで、枠体としては、建物等の躯体に固定されたものでもよく、また枠体自身が躯体等に開閉移動可能に支持されたものでもよい。
また、面材としては、ガラスパネルや樹脂製パネル等の板材から形成されたものでもよく、上下左右の框材を四周框組みした内部に板材を嵌め込んで形成された障子でもよい。
さらに、支持アームの一端部が回動自在に連結される少なくとも一対の開口端縁としては、例えば、枠体の開口部が矩形状に形成された場合であれば、その開口部を形成する左右の二端縁（縦辺）であってもよく、また上下の二端縁（横辺）であってもよい。さらに、上下左右の四端縁の全てに支持アームの一端部が連結されていてもよく、この場合には、上下の開口端縁に連結された支持アーム同士が一対とされ、左右の開口端縁に連結された支持アーム同士が一対とされればよい。
また、一対の支持アーム同士を同期させる同期手段としては、支持アーム同士を直接連結する連結部材等で構成されていてもよく、またギアやベルト、ロープ（ワイヤ）、プーリ、滑車等を用いた連動手段を介して接続されていてもよい。
【０００９】
以上の本発明によれば、枠体と面材とを支持アームで直接連結し、この支持アームの回動により面材を突没移動自在に構成したので、従来のような複雑な支持構造を用いなくてもよく、支持構造を簡単化して部品点数を削減し、建具の製造コストを抑制することができる。すなわち、従来の支持構造では、ガイド部材およびスライド部材で構成した機構や平行リンク機構によって、枠体に対して見込み方向に直線的に面材が突没されるのに対し、本発明では、支持アームの回動軌跡（円弧）に沿って面材が突没されるようになっている。そして、支持アームの長さ（一端側連結部と他端側連結部との距離）や、枠体と面材とのクリアランス等を適宜設定することで、面材の開閉移動に支障をきたさないようにしつつ支持構造を簡単にすることができる。また、複数組の支持アームごとに長さを同一にすれば、枠体に対して平行を維持させたまま面材を突没させることができ、複数組の支持アームごとに長さを適宜変更すれば、枠体に対して角度を持たせて面材を突没させることもできる。
また、枠体の開口端縁の長手方向に沿って互いに離隔した位置に複数組の支持アームを設けたことで、開口端縁の中央付近の目立つ位置を避けて支持構造を設置するなど配置の自由度を高めることができ、面材を開放した状態で支持構造が目立たないようにして建具の外観意匠性を良好にすることができる。
さらに、少なくとも一対の支持アーム同士を同期手段で接続したことで、開閉操作の際に、一対の支持アームのうちのいずれか一方だけが回動し他方が回動せずに面材が枠体に対して捻れて突没される異常な開閉が防止でき、開閉操作の操作性を良好にすることができる。
【００１０】
この際、本発明の建具では、前記面材が閉鎖位置にある場合の前記支持アームの他端側連結部と、前記面材が開放位置にある場合の当該支持アームの他端側連結部とは、前記開口端縁の長手方向に沿った軸線であり、かつ当該支持アームの一端側連結部を通る軸線に対し、見込み方向の略対称位置に位置することが好ましい。
このような構成によれば、面材の閉鎖位置と開放位置とで支持アームの他端側連結部が見込み方向に略線対称位置になるように構成したことで、閉鎖位置にある面材を見込み方向に直線的に突出させたのと略同一の開放位置に面材が突出され、開放状態における建具の意匠性や開閉操作の操作性を良好にすることができる。
【００１１】
また、本発明の建具では、前記枠体の開口部は、上下および左右の開口端縁から略矩形状に形成されており、前記一対の支持アームは、前記左右の開口端縁における上部および下部に二組が設けられ、これら二組のうちの下部に設けられた一対の支持アーム同士を連結する連結部材で前記同期手段が構成されていることが好ましい。
このような構成によれば、開口部の左右の開口端縁に支持アームを設けたことで、支持アームと開口端縁および面材とが略水平な回動軸回りに回動自在に連結され、支持アームが鉛直面に沿って縦に回動されることとなる。そして、左右の開口端縁における下部の支持アーム同士を連結部材で連結して、これらの支持アームの回動を同期させるようにしたことで、この連結部材を面材の下端縁に近い位置や面材の下端縁で覆われる位置に設ければ、連結部材を目立たなくすることができ、開放時における建具の意匠性をより一層向上させることができる。
【００１２】
さらに、本発明の建具では、前記左右の開口端縁における高さ方向略中間位置には、前記枠体の見込み方向に沿ってスライド自在に支持されたスライド部材と、このスライド部材をスライド移動させる操作部材とが設けられ、前記スライド部材に前記面材が見込み方向に移動不能かつ上下方向に移動可能に係止されていることが好ましい。
このような構成によれば、操作部材を操作してスライド部材を見込み方向にスライドさせることで、スライド部材に対して見込み方向に移動不能に係止された面材を突没させて、建具を容易に開閉操作することができる。そして、開閉途中における面材が前述のように支持アームの回動軌跡に沿って円弧状に移動しても、面材がスライド部材に対して上下方向に移動可能に係止されているので、面材の移動を拘束することがなく、スムーズな開閉操作を実現することができる。
【００１３】
さらに、本発明の建具では、前記スライド部材の前記面材側端部には、上下に延びる鉛直片部が設けられ、この鉛直片部の上端部および下端部の二箇所に前記面材が見込み方向に移動不能かつ上下方向に移動可能に係止されていることが好ましい。
このような構成によれば、スライド部材に設けた鉛直片部の上下二箇所を面材に係止し、これら二箇所で面材を押し引きして突没移動させることで、面材の上部および下部の一方が回動し他方が回動せずに枠体に対して傾いて突没される異常な開閉が防止でき、開閉操作の操作性をさらに良好にすることができる。
【００１４】
また、本発明の建具は、建物の出入口に開閉可能に設けられた扉体から前記枠体が構成されるとともに、この扉体に対して室外側に突出して前記面材が開閉可能に設けられたドアであることが好ましい。
このような構成によれば、扉体に面材を突没開閉可能に支持させたことで、前述の各作用効果を有したドアを構成することができるとともに、扉体を閉じた施錠状態で面材を開放すれば、防犯性を有したままで通気や換気を実施することができ、快適な室内環境を得ることができる。。
【発明を実施するための最良の形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１６】
〔第１実施形態〕
図１および図２は、それぞれ本発明の第１実施形態に係る建具であるドア１を示す姿図であって、図１は、ドア１を室内側から見た内観姿図であり、図２は、ドア１を室外側から見た外観姿図である。図３および図４は、それぞれドア１を示す縦断面図および横断面図であり、障子３を閉じた状態を示している。図５および図６は、それぞれドア１を示す縦断面図および横断面図であり、障子３を開いた状態を示している。ここで、図３および図５は、図１に矢視III −III 線（矢視Ｖ−Ｖ線）で示す断面図であり、図４および図６は、図１に矢視IV−IV線（矢視VI−VI線）で示す断面図である。
図１〜図６において、ドア１は、戸建て住宅や集合住宅等の建物の出入り口（玄関や勝手口）に設けられて建物の室内空間と室外空間とを仕切るとともに、開閉することで居住者等が出入り可能、かつ施錠することで防犯性を有して構成されたものである。なお、各図において、ドア１が取り付けられる建物の外壁や、外壁に固定されたドア枠等の図示を省略した。
【００１７】
ドア１は、金属製の板材を組み合わせて全体略矩形状に形成された枠体としての扉体２と、この扉体２の開口部２Ａ部分に支持された面材としての障子３と、扉体２をヒンジを介して開閉可能に支持するドア枠（不図示）とを備えて構成されている。扉体２の略中央部には、上下左右の開口端縁２１，２２，２３（図５、６参照）から縦長矩形状に形成された開口部２Ａが設けられている。
障子３は、上框３１、下框３２、および左右の縦框３３を四周框組みした内部に、ガラスパネル３４を嵌め込んで構成されている。この障子３は、扉体２の開口部２Ａを塞ぐ閉鎖位置（図３および図４の位置）と、扉体２の見込み方向室外側に突出した開放位置（図５および図６の位置）との間を突没移動可能に支持されている。そして、障子３の上框３１には、室内側に向かって突出した止水片部３１Ａが形成され、下框３２および左右の縦框３３には、室内側に向かって突出して網で覆われた通気部３２Ａ，３３Ａが形成されている。これらの止水片部３１Ａおよび通気部３２Ａ，３３Ａは、開放位置における障子３の上框３１、下框３２、および左右の縦框３３と扉体２の上下左右の開口端縁２１，２２，２３との隙間を覆うようになっており、これによって上方からの雨の浸入を防止するとともに虫や埃等の侵入を防止しつつ、通気部３２Ａ，３３Ａを通して通気や換気が実施できるようになっている。
【００１８】
そして、ドア１には、障子３を見込み方向に突没移動可能に支持する障子支持部４と、障子３を開閉操作するための障子操作部５とが設けられている。以下、障子支持部４および障子操作部５の構造について、図７〜図９も参照して詳しく説明する。
図７は、障子支持部４を示す横断面図であり、図８(Ａ)，(Ｂ)は、障子支持部４の動作を示す側面図である。図９は、障子操作部５を示す横断面図である。なお、図７および図９は、それぞれ障子３を後述するメンテナンス位置まで開放した状態における障子支持部４および障子操作部５を示している。
【００１９】
障子支持部４は、扉体２の左右の開口端縁（縦開口端縁）２３における上下に離隔した位置である上部および下部に、それぞれ開口部２Ａを挟んで互いに対向して一対ずつが２組（４箇所に）設けられている。これらの障子支持部４は、図７に示すように、開口端縁２３に固定された枠側ブラケット４１と、障子３の縦框３３に固定された障子側ブラケット４２と、これらの枠側ブラケット４１および障子側ブラケット４２に両端部がそれぞれ軸支された支持アーム４３とを有して構成されている。支持アーム４３は、その一端側がピン（一端側連結部）４４によって略水平な回動軸回りに回動自在に枠側ブラケット４１に連結されるとともに、他端側がピン（他端側連結部）４５によって略水平な回動軸回りに回動自在に障子側ブラケット４２に連結され、略鉛直な面内で回動可能に構成されている。
【００２０】
枠側ブラケット４１は、折り曲げた板材から断面略コ字形に形成され、対向する一方の側面部４１Ａが扉体２の開口端縁２３にビス止め固定され、他方の側面部４１Ｂに支持アーム４３の一端側が連結されている。そして、枠側ブラケット４１の他方の側面部上面は、円弧状に形成されており、この上面により支持アーム４３の側面から突出して設けられた突出ピン４３Ａを案内することができるようになっている。
また、左右の開口端縁２３における上部に設けられた障子支持部４（上部障子支持部４Ａ）の支持アーム４３のピン４４を挟んで他端側のピン４５と反対側端部には、後述するメンテナンス位置まで障子３が開放された際に、枠側ブラケット４１の背面部４１Ｃに当接する当接面部４３Ｂが形成されている。
一方、左右の開口端縁２３における下部に設けられた障子支持部４（下部障子支持部４Ｂ）の支持アーム４３同士は、枠側ブラケット４１の他方の側面部４１Ｂを貫通するとともに障子３の下框３２の下側に沿って延びる回転軸（連結部材）４６で互いに連結されており、この回転軸４６により一対の支持アーム４３同士の回動を同期させる同期手段が構成されている。
【００２１】
以上の各障子支持部４における支持アーム４３のピン（他端側連結部）４５は、図８に示すように、円弧状の回動軌跡Ｃを描いて回動するようになっており、障子３が閉鎖位置にある状態（図中、一点鎖線で示す）と、障子３が開放位置にある状態（図中、実線で示す）とで、開口端縁２３の長手方向に沿いかつ支持アーム４３のピン（一端側連結部）４４を通る軸線Ａに対して見込み方向の略対称位置に位置するようになっている。すなわち、閉鎖位置にある障子３と開放位置にある障子３とが略同一の高さ位置に位置するようになっており、開放または閉鎖途中の障子３は、閉鎖位置および開放位置よりも若干上側にずれた位置を通過するようになっている。ただし、障子３の突没距離に比べて支持アーム４３の回動半径（ピン４４，４５間の距離）を比較的大きく（例えば、２倍以上などに）設定しておくことで、障子３の上側へのずれ量を極めて小さくすることができる。具体的には、例えば、障子３の突没距離を２５mm、支持アーム４３の回動半径を６５mm程度に設定したとすると、開閉中間位置における障子３の上側へのずれ量が１mm程度となる。このように障子３の突没移動の軌跡が、見込み方向に沿った直線移動の軌跡に近似しているので、設計上、障子３の上側へのずれ量をほぼ無視しても大きな問題を生じないようにできる。
【００２２】
次に、障子操作部５は、図３〜図６および図９に示すように、扉体２の左右の開口端縁２３における高さ方向略中間位置の室内側側面に固定されたベース部５１と、このベース部５１に回動自在かつ見込み方向にスライド自在に支持された操作アーム５２と、この操作アーム５２に回動自在に連結されかつベース部５１に対して見込み方向にスライド自在に支持されたスライド部材５３と、このスライド部材５３を室外側に向かって付勢する図示しない付勢手段とを有して構成されている。
ベース部５１の略下半分は、分割されて下方にスライド自在に設けられたスライドベース部５１Ａとされており、後述するように障子３をメンテナンス位置に移動させる際にスライド操作可能になっている。
【００２３】
左右一対の操作アーム５２同士は、操作ハンドル５４で連結されており、これらの操作アーム５２および操作ハンドル５４によって本発明の操作部材が構成されている。そして、操作ハンドル５４を操作して操作アーム５２を、図３、４の状態から図５、６の状態に回動させることで付勢手段に付勢されたスライド部材５３が室外側に向かってスライドされ、逆方向に操作アーム５２を回動することで付勢手段の付勢力に抗してスライド部材５３が室内側に向かってスライドされるようになっている。また、スライド部材５３が室内側または室外側にスライドされた二位置において、それぞれ操作アーム５２の室外側側面がスライドベース部５１Ａの室内側側面に当接することで、操作アーム５２およびスライド部材５３が位置決めされるようになっている。
【００２４】
スライド部材５３の室外側先端部には、上方に開口して上下に長く形成された係止溝５３Ａが形成されており、この係止溝５３Ａには、障子３の縦框３３の高さ方向略中間位置に固定された被係止ピン５５が挿入されている。そして、被係止ピン５５は、スライド部材５３の係止溝５３Ａによって、見込み方向に移動不能かつ上下方向に移動可能に係止されている。従って、操作アーム５２の回動によるスライド部材５３のスライドに伴って、係止溝５３Ａおよび被係止ピン５５を介してスライド部材５３に連結された障子３が見込み方向に突没移動されるようになっている。そして、前述したように、突没移動に際して障子３が上側にずれることとなるが、被係止ピン５５が係止溝５３Ａ内で上下に摺動することで、上側へのずれが吸収されて障子３の突没移動が規制されないようになっている。
【００２５】
以上のような障子支持部４および障子操作部５によって開閉可能に支持された障子３は、図１０および図１１に示すように、開放位置よりもさらに室外側に突出したメンテナンス位置まで開放できるようになっている。
図１０および図１１は、それぞれドア１を示す縦断面図および横断面図であり、障子３をメンテナンス位置まで開いた状態を示している。
このメンテナンス位置まで障子３を開放した状態において、扉体２と障子３との間に形成される隙間から手や工具を挿入することで、障子支持部４の連結を解除して障子３を扉体２から取り外したり、通気部３２Ａ，３３Ａの網を交換または掃除したりすることができるようになっている。
【００２６】
このようなメンテナンス位置へ障子３を開放するためには、先ず、図５に示すように操作アーム５２を下方に回動させた状態で、スライドベース部５１Ａを図１０に示すように操作アーム５２よりも下方までスライドさせる。これによりスライドベース部５１Ａと操作アーム５２との当接が解除され、操作アーム５２が室外側にスライド可能になる。次に、操作アーム５２を室外側に押し出すことで、スライド部材５３が室外側にスライドされ、このスライドに伴ってスライド部材５３に連結された障子３がメンテナンス位置まで突出される。この際、障子支持部４の支持アーム４３は、図８に二点鎖線で示す位置まで回動し、そのピン（他端側連結部）４５が回動軌跡Ｃに沿って下方に移動する。つまり、障子３全体が下方に下がることとなるが、障子３の被係止ピン５５がスライド部材５３の係止溝５３Ａ内を下側に摺動するため、障子３の移動が規制されないようになっている。
【００２７】
このような本実施形態によれば、以下のような効果がある。
（１）すなわち、扉体２の開口端縁２３と障子３の縦框３３とが支持アーム４３で直接連結され、この支持アーム４３の回動軌跡に沿って障子３が突没移動されるので、複雑なリンク機構等を用いることなく障子３を支持することができ、障子支持部４の構造を簡単化して部品点数を削減し、製造コストを抑制することができる。さらに、障子支持部４が左右の開口端縁２３の上部および下部に設けられているので、障子３を開放した状態で障子支持部４が目立たないようにでき、ドア１の外観意匠性を良好にすることができる。
【００２８】
（２）さらに、障子３の閉鎖位置と開放位置とで支持アーム４３のピン（他端側連結部）４５の位置が軸線Ａに対して見込み方向に略線対称になるように構成されているので、閉鎖位置と開放位置とで障子３が略同一の高さ位置となり、開放状態におけるドア１の意匠性や障子３の開閉操作の操作性を良好にすることができる。さらに、開閉移動中の障子３が閉鎖位置および開放位置から上側にずれるずれ量を小さくすることができ、扉体２の開口端縁２３と障子３とのクリアランスを小さくすることができる。
【００２９】
（３）また、支持アーム４３が左右の開口端縁２３に支持され略鉛直面内で回動し、図８に実線で示す状態で開放位置にある障子３を支持するように構成されているので、障子３の重量の大半が支持アーム４３の軸力として扉体２に伝達されるため、支持アーム４３に大きな曲げ応力が作用せず、支持アーム４３の部材断面を小さくすることができ、この点でも製造コストの増加を抑制することができる。さらに、メンテナンス位置に障子３が開放された状態においては、上部障子支持部４Ａの支持アーム４３に形成された当接面部４３Ｂが、枠側ブラケット４１の背面部４１Ｃに当接するようになっているため、メンテナンス位置に開放された障子３を確実に支持することができる。
【００３０】
（４）また、開口端縁２３における下側の支持アーム４３同士が回転軸４６で連結されているので、障子３の開閉操作の際に、左右いずれか一方の支持アーム４３だけが回動し他方が回動せずに障子３が左右に捻れるようなことがなく、開閉操作の操作性を良好にすることができる。さらに、回転軸４６が障子３の下框３２の下側に沿って設けられているので、回転軸４６を目立たなくすることができ、障子３開放時におけるドア１の意匠性をより一層向上させることができる。
【００３１】
（５）また、障子支持部４とは別に開口端縁２３の略中間位置に設けられた障子操作部５で障子３が開閉操作されるので、障子操作部５には障子３の重量がほとんど作用せず、小さな操作力でスムーズに開閉操作を実施することができる。そして、障子操作部５のスライド部材５３に形成した係止溝５３Ａで障子３の被係止ピン５５が上下に摺動自在に係止されているので、開閉途中における障子３が支持アーム４３の回動軌跡Ｃに沿って円弧状に移動して上側にずれても、このずれを係止溝５３Ａで吸収することができ、障子３の移動を拘束することなくスムーズな開閉操作を実現することができる。
【００３２】
（６）また、障子３を開放位置まで開放した状態において、障子３の上框３１、下框３２、および左右の縦框３３と扉体２の上下左右の開口端縁２１，２２，２３との隙間が、障子３の止水片部３１Ａおよび通気部３２Ａ，３３Ａで覆われるので、雨の浸入や虫等の侵入を防止しつつ、通気部３２Ａ，３３Ａを通して通気や換気が実施でき、室内の居住性を向上することができる。さらに、障子操作部５の操作により障子３をメンテナンス位置まで開放すれば、障子３を扉体２から取り外したり、通気部３２Ａ，３３Ａの掃除したり等のメンテナンス作業を容易に実施することができる。
【００３３】
〔第２実施形態〕
次に、本発明の第２実施形態に係る建具であるドア１Ａについて、図１２に基づいて説明する。
図１２は、第２実施形態のドア１Ａを示す縦断面図であり、障子３を開いた状態を示している。
本実施形態のドア１Ａは、前記第１実施形態のドア１に対して障子操作部５の構成が相違するのみで、その他の構成は、第１実施形態と略同様である。以下、相違点について説明する。
【００３４】
図１２において、ドア１Ａに設けられた障子操作部５は、第１実施形態と同様にベース部５１と、操作アーム５２と、スライド部材５３と、付勢手段（不図示）とを有して構成されている。そして、スライド部材５３の室外側端部には、障子３の縦框３３に沿って上下に延びる鉛直片部５３Ｂが設けられている。そして、鉛直片部５３Ｂの上端部および下端部に前記係止溝５３Ａと同様に上下に長く形成された２つの係止溝５３Ａが形成されている。また、障子３の縦框３３には、前記被係止ピン５５と同様の被係止ピン５５が二箇所に設けられ、これらの被係止ピン５５がそれぞれ二箇所の係止溝５３Ａに、見込み方向に移動不能かつ上下方向に移動可能に係止されている。
【００３５】
このような障子操作部５では、操作アーム５２の回動によるスライド部材５３のスライドに伴って、鉛直片部５３Ｂ、係止溝５３Ａおよび被係止ピン５５を介して障子３が見込み方向に突没移動されるようになっている。そして、第１実施形態と同様に、突没移動に際して支持アーム４３の回動軌跡に沿って障子３が上側にずれる、あるいはメンテナンス位置への移動に際して障子３が下がったとしても、被係止ピン５５が係止溝５３Ａに沿って上下に摺動することで、障子３の突没移動が規制されないようになっている。
【００３６】
このような本実施形態によれば、前述の(１)〜(６)の効果に加えて以下のような効果がある。
（７）すなわち、スライド部材５３に設けた鉛直片部５３Ｂの上下二箇所の係止溝５３Ａで障子３の被係止ピン５５を係止し、これら二箇所で障子３を押し引きして突没移動させることで、障子３を見込み方向に沿って直線的に移動させることができ、障子３が上下に傾いて移動されるような異常な開閉が防止でき、開閉操作の操作性をさらに良好にすることができる。
【００３７】
〔第３実施形態〕
次に、本発明の第３実施形態に係る建具であるドア１Ｂについて、図１３および図１４に基づいて説明する。
図１３は、第３実施形態のドア１Ｂを示す姿図であって、室外側から見た外観姿図である。図１４は、ドア１Ｂを示す横断面図であり、障子３を閉じた状態を示している。
本実施形態のドア１Ｂは、前記第１および第２実施形態のドア１，１Ａにおける障子３の室外側にガラスパネル３４を覆って格子体６を取り付けたもので、扉体２や障子３、障子支持部４、障子操作部５の構成は、第１または第２実施形態と略同様である。
【００３８】
図１３および図１４において、格子体６は、障子３の縦框３３の室外側側面に室内側からビス止め固定された左右一対の縦枠材６１と、これらの縦枠材６１間に渡って固定された複数の横材６２と、これらの横材６２に交差して横材６２の室外側に固定された複数の縦材６３とを有して構成されている。そして、格子体６は、障子３の開閉移動に伴って障子３と一体に開閉されるようになっている。このような格子体６は、前述したように障子３をメンテナンス位置に開放した状態で、室内側からビスを外すことで、障子３に対して脱着可能に構成されている。また、前記止水片部３１Ａおよび通気部３２Ａ，３３Ａを格子体６に形成し、格子体６の脱着とともに止水片部３１Ａや通気部３２Ａ，３３Ａの交換、清掃等が実施できるように構成してもよい。
【００３９】
このような本実施形態によれば、前述の(１)〜(６)および（７）の効果に加えて以下のような効果がある。
（８）すなわち、障子３におけるガラスパネル３４の室外側を覆う格子体６を設けたことで、ガラス破り等の不法行為を防止することができ、ドア１Ｂの防犯性を向上させることができる。さらに、格子体６が室内側からビス止め固定されているので、障子３が閉鎖位置および開放位置にある状態において、室外側から格子体６を取り外すことができず、防犯性をさらに向上させることができる。また、障子３をメンテナンス位置に移動させれば、室内側からビスを外すことで室外側から格子体６を取り外すことができるので、交換や補修等を容易に実施することができる。
【００４０】
なお、本発明は、前記各実施形態に限定されるものではなく、本発明の目的を達成できる他の構成等を含み、以下に示すような変形等も本発明に含まれる。
例えば、前記各実施形態では、建具として出入り口に設けられるドア１，１Ａ，１Ｂについて説明したが、本発明の建具は、ドアに限らず、窓であってもよい。そして、建具の枠体としては、ドア１，１Ａ，１Ｂの扉体２に限らず、建物に固定された窓枠や、建物の躯体に形成された開口部であってもよい。
【００４１】
また、前記各実施形態では、障子支持部４を開口部２Ａの左右の開口端縁２３に設け、障子３の縦框３３に支持アーム４３を連結したが、これに限らず、障子支持部４を開口部２Ａの上下の開口端縁２１，２２に設けて、障子３の上框３１および下框３２に支持アーム４３を連結してもよく、さらに障子支持部４を開口部２Ａの上下左右の開口端縁２１，２２，２３に設けて、障子３の上框３１、下框３２、および左右の縦框３３に支持アーム４３を連結してもよい。
【００４２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４３】
【図１】本発明の第１実施形態に係る建具を示す室内側から見た姿図である。
【図２】前記建具を室外側から見た姿図である。
【図３】前記建具を示す縦断面図である。
【図４】前記建具を示す横断面図である。
【図５】前記建具において面材が開放位置にある状態を示す縦断面図である。
【図６】前記建具において面材が開放位置にある状態を示す横断面図である。
【図７】前記建具における面材の支持構造を示す横断面図である。
【図８】(Ａ)，(Ｂ)は、前記支持構造の動作を示す側面図である。
【図９】前記建具における面材の開閉操作部を示す横断面図である。
【図１０】前記建具において面材がメンテナンス位置にある状態を示す縦断面図である。
【図１１】前記建具において面材がメンテナンス位置にある状態を示す横断面図である。
【図１２】本発明の第２実施形態に係る建具を示す縦断面図である。
【図１３】本発明の第３実施形態に係る建具を示す室外側から見た姿図である。
【図１４】前記建具を示す横断面図である。
【符号の説明】
【００４４】
２…枠体である扉体、２Ａ…開口部、３…面材である障子、２１，２２，２３…開口端縁、４３…支持アーム、４４…一端側連結部であるピン、４５…他端側連結部であるピン、４６…連結部材である回転軸、５２…操作部材である操作アーム、５３…スライド部材、５３Ｂ…鉛直片部、５４…操作部材である操作ハンドル、Ａ…軸線。
【図１】
2006328822.tif 000003
【図２】
2006328822.tif 000004
【図３】
2006328822.tif 000005
【図４】
2006328822.tif 000006
【図５】
2006328822.tif 000007
【図６】
2006328822.tif 000008
【図７】
2006328822.tif 000009
【図８】
2006328822.tif 000010
【図９】
2006328822.tif 000011
【図１０】
2006328822.tif 000012
【図１１】
2006328822.tif 000013
【図１２】
2006328822.tif 000014
【図１３】
2006328822.tif 000015
【図１４】
2006328822.tif 000016